(57)【特許請求の範囲】
【請求項１】
使用者の少なくとも口部を覆うマスク本体を有するマスクと、前記マスクに装着されるマスク用サポート部材と、を備えたマスクセットであって、
前記マスク本体は、上下に折り重ねられて左右方向に長い複数の折り返し部を有するプリーツ型であり、
前記マスク用サポート部材は、
使用者の少なくとも口部に対向配置されるサポート部材本体を備え、
前記サポート部材本体は、当該サポート部材本体のほぼ中央に配置された凹状の中央凹部と、前記マスクに係着する係着手段と、を備え、
前記係着手段は、前記中央凹部を基準にして左右方向に突き出された長尺状の線状体で構成される差し込み部を備えており、
使用者に付けられた前記マスクに前記マスク用サポート部材が装着された使用状態で前記サポート部材本体は前記マスク本体よりも使用者側に位置し、かつ、前記係着手段が前記マスクに係着して前記中央凹部が使用者の口部に対向し、前記中央凹部と当該使用者の口部周辺とが離間して前記中央凹部と前記口部周辺との間には所定の口部周辺接触防止空隙が形成されてなると共に、前記差し込み部が前記折り返し部の内部に差し入れられてなり、
前記差し込み部は波形に折り返された形状を有しており、かつ、当該差し込み部において少なくとも先端は、前記使用状態において前記プリーツ型のマスク本体における前記折り返し部の内部に差し入れられてなる
ことを特徴とするマスクセット。
【請求項２】
使用者の少なくとも口部を覆うマスク本体を有し、前記マスク本体は上下に折り重ねられて左右方向に長い複数の折り返し部を有するプリーツ型であるマスクに装着されるマスク用サポート部材であって、
使用者の少なくとも口部に対向配置されるサポート部材本体を備え、
前記サポート部材本体は、当該サポート部材本体のほぼ中央に配置された凹状の中央凹部と、前記マスクに係着する係着手段と、を備え、
前記係着手段は、前記中央凹部を基準にして左右方向に突き出された長尺状の線状体で構成される差し込み部を備えており、
使用者に付けられた前記マスクに前記マスク用サポート部材が装着された使用状態で前記サポート部材本体は前記マスク本体よりも使用者側に位置し、かつ、前記係着手段が前記マスクに係着して前記中央凹部が使用者の口部に対向し、前記中央凹部と当該使用者の口部周辺とが離間して前記中央凹部と前記口部周辺との間には所定の口部周辺接触防止空隙が形成されてなると共に、前記差し込み部が前記折り返し部の内部に差し入れられてなり、
前記差し込み部は波形に折り返された形状を有しており、かつ、当該差し込み部において少なくとも先端は、前記使用状態において前記プリーツ型のマスク本体における前記折り返し部の内部に差し入れられてなる
ことを特徴とするマスク用サポート部材。
【発明の詳細な説明】
【技術分野】
【０００１】
本発明は、マスクに装着されて使用されるマスク用サポート部材、及びマスクとマスク用サポート部材とを備えたマスクセットに関する。
【背景技術】
【０００２】
従来、マスクとしては、空気を濾過するマスク本体の側部に使用者の耳に引っ掛ける紐状の耳掛け部を備えたものがよく知られている。
【先行技術文献】
【特許文献】
【０００３】
【特許文献１】特開２０１６−９３３１８号公報
【発明の概要】
【発明が解決しようとする課題】
【０００４】
しかし従来のマスクは、使用状態で使用者の口部が押さえられて圧迫感を感じたり、呼吸によって蒸れやすかったり、化粧が崩れたり、あるいは唾液が付着して汚れたりするため、快適性に劣り、このように汚れたマスクを継続して使用することには非常に抵抗があることが多いという問題があった。
【０００５】
そこで本発明は、マスクを着用した際の快適性や清潔性が向上するマスク用サポート部材を提供することを目的とする。
【０００６】
また本発明は、マスクと、当該マスクを着用した際の快適性や清潔性が向上するマスク用サポート部材とを備えたマスクセットを提供することを目的とする。
【課題を解決するための手段】
【０００７】
本発明は、使用者の少なくとも口部を覆うマスク本体を有するマスクに装着されるマスク用サポート部材であって、使用者の少なくとも口部に対向配置されるサポート部材本体を備え、前記サポート部材本体は、当該サポート部材本体のほぼ中央に配置された凹状の中央凹部と、前記マスクに係着する係着手段と、を備え、使用者に付けられた前記マスクに装着された使用状態で前記サポート部材本体は、前記マスク本体よりも使用者側に位置し、かつ、前記係着手段が前記マスクに係着して前記中央凹部が使用者の口部に対向し、前記中央凹部と当該使用者の口部周辺とが離間して前記中央凹部と前記口部周辺との間には所定の口部周辺接触防止空隙が形成されてなることを特徴とするマスク用サポート部材である。
【０００８】
かかる構成にあっては、使用者の口部とマスクとが接触することがなくなり、使用者がしゃべるときにマスクが唇に触れて不快に感じることを防止したり、マスクに化粧や唾液等が付着することを防止したり、マスク内に熱がこもることを防止したりすることができる。また、前記係着手段によってマスク用サポート部材がマスクに係着されるため、当該マスク用サポート部材を当該マスクによって安定して支持することができ、マスク用サポート部材が意図せず位置ずれすることを防止することができる。
【０００９】
また、前記係着手段は、前記サポート部材本体の左右の端部に各々設けられた係着用フック部であり、前記使用状態で前記係着用フック部が、前記マスク本体の左右の側縁部に各々係着してなる構成が提案される。
【００１０】
かかる構成とすることにより、前記係着用フック部を前記マスク本体に引っ掛けるだけで前記マスク用サポート部材を好適に当該マスク本体に係着することができる。
【００１１】
ところで、一般的な汎用マスクは、マスク本体の左右両端部に、紐等の線状体からなる耳掛け部の端部が上端と下端とに分けて接続されていることはよく知られている。このようなマスクにあっては、使用状態で耳掛け部がマスク本体の上端部及び下端部を引っ張るため、当該マスク本体の上端部と下端部とが使用者の顔面に比較的強く押し当てられることとなる。一方、マスク本体の側縁部のうち、耳掛け部の上端と下端との間の部分は、相対的に撓んだ状態となる。
【００１２】
ここで、上述の本発明の構成にあっては、マスク本体の側縁部のうち、耳掛け部の上端と下端との間の部分に、係着用フック部を係着させることができるため、使用状態でマスク用サポート部材が使用者の肌に過度に押し付けられることを抑制することができる。すなわち本発明は、マスク用サポート部材の使用感をより一層優れたものとすることができる。
【００１３】
また、前記係着手段は、前記サポート部材本体に設けられた、前記使用状態で前記マスク本体側へ向かって突き出た係着用凸部と、前記サポート部材本体とは別部材からなり、使用状態で前記マスク本体を前記係着用凸部とで挟持するように当該係着用凸部に係着する係着片と、で構成されていてもよい。
【００１４】
かかる構成とすることによっても、前記マスク用サポート部材を好適に前記マスク本体に係着することができる。
【００１５】
また、本発明は、使用者の少なくとも口部を覆うマスク本体を有するマスクと、前記マスクに装着されるマスク用サポート部材と、を備えたマスクセットであって、前記マスク本体は、上下に折り重ねられて左右方向に長い複数の折り返し部を有するプリーツ型であり、前記マスク用サポート部材は、使用者の少なくとも口部に対向配置されるサポート部材本体を備え、前記サポート部材本体は、当該サポート部材本体のほぼ中央に配置された凹状の中央凹部と、前記マスクに係着する係着手段と、を備え、前記係着手段は、前記中央凹部を基準にして左右方向に延びる差し込み部を備えており、使用者に付けられた前記マスクに前記マスク用サポート部材が装着された使用状態で前記サポート部材本体は前記マスク本体よりも使用者側に位置し、かつ、前記係着手段が前記マスクに係着して前記中央凹部が使用者の口部に対向し、前記中央凹部と当該使用者の口部周辺とが離間して前記中央凹部と前記口部周辺との間には所定の口部周辺接触防止空隙が形成されてなると共に、前記差し込み部が前記折り返し部の内部に差し入れられてなることを特徴とするマスクセットである。
【００１６】
かかる構成にあっては、使用者の口部とマスクとが接触することがなくなり、使用者がしゃべるときにマスクが唇に触れて不快に感じることを防止したり、マスクに化粧や唾液等が付着することを防止したり、マスク内に熱がこもることを防止したりすることができる。また、前記係着手段によってマスク用サポート部材がマスクに係着されるため、当該マスク用サポート部材を当該マスクによって安定して支持することができ、マスク用サポート部材が意図せずずり落ちることを防止することができる。さらに、前記係着手段が備える前記差し込み部が、前記マスク本体の折り返し部の内部に差し入れられて差し込み部の露出面積が減少するため、マスク用サポート部材のうち使用者の肌に直接触れる部位を少なくすることができ、使用時の快適性を向上させることができる。
【発明の効果】
【００１７】
本発明のマスク用サポート部材は、マスクを着用した際の快適性や清潔性が向上する優れた効果がある。
【００１８】
また本発明のマスクセットは、マスクを着用した際の快適性や清潔性が向上する優れた効果がある。
【図面の簡単な説明】
【００１９】
【図１】実施例１のマスク用サポート部材の使用状態を示す斜視図である。
【図２】（ａ）は実施例１のマスク用サポート部材を背面側（使用者側）から見た背面斜視図であり、（ｂ）は実施例１のマスク用サポート部材の側面図である。
【図３】実施例１のマスク用サポート部材の使用状態を示す部分縦断面図である。
【図４】実施例２のマスク用サポート部材の使用状態を示す斜視図である。
【図５】（ａ）は実施例２のサポート部材本体を背面側（使用者側）から見た背面斜視図であり、（ｂ）は実施例２のサポート部材本体の側面図であり、（ｃ）は実施例２の係着片の斜視図である。
【図６】実施例２のマスク用サポート部材の使用状態を示す部分縦断面図である。
【図７】実施例２においてマスク本体が係着用凸部と係着片とによって挟持された状態を示す縦断面図である。
【図８】実施例３のマスク用サポート部材の使用状態を示す斜視図である。
【図９】（ａ）は実施例３のマスク用サポート部材を背面側（使用者側）から見た背面斜視図であり、（ｂ）は実施例３のマスク用サポート部材の側面図である。
【図１０】実施例３のマスク用サポート部材の使用状態を示す部分縦断面図である。
【図１１】実施例３の差し込み部がマスクの折り返し部に差し入れられた状態を示す説明図である。
【発明を実施するための形態】
【００２０】
以下、本発明のマスク用サポート部材及びマスクセットを具体化した実施例を詳細に説明する。なお本発明は、下記に示す実施例に限定されることはなく、適宜設計変更が可能である。
【００２１】
まず、一般的なマスクＭについて説明する。図１において二点鎖線で示すように、マスクＭは、空気を濾過する機能を有するシート状のマスク本体Ｍ１と、マスク本体Ｍ１の左右両側部に設けられた耳掛け部Ｍ２とを備えている。
【００２２】
〔実施例１〕
以下に、実施例１にかかるマスク用サポート部材１を説明する。
【００２３】
マスク用サポート部材１は、図１〜図３に示すように、主要部を構成するプラスチック製フレーム体からなるサポート部材本体１０を備えている。そして、サポート部材本体１０は、環状のサブフレーム部１１と、サブフレーム部１１を縦断するように差し渡された上下方向で棒状のメインフレーム部１２と、を備えている。
【００２４】
また、メインフレーム部１２は、前方に向けて凸となるように湾曲しており、これによりサポート部材本体１０の背面（使用者側となる面）のほぼ中央には中央凹部１５が形成されている。
【００２５】
また、サポート部材本体１０の左右の側縁部には、係着手段である係着用フック部１７がそれぞれ設けられている。具体的に係着用フック部１７は、外側からサポート部材本体１０の中央に向かって横向きに差し出された形状となっている。
【００２６】
なお、上述のサポート部材本体１０は様々な形状であってもよいが、軽量化が図られていることが望ましく、例えば３Ｄプリンタで簡易に大量生産することができる。
【００２７】
次に、マスク用サポート部材１の使用形態について説明する。
【００２８】
マスク用サポート部材１を用いる際には、図１、図３に示すように、まず、マスク用サポート部材１をマスクＭの使用者側となる位置に配置する。このとき、マスク用サポート部材１のメインフレーム部１２は、マスクＭに向かって突き出した状態となる。
【００２９】
そして、このような装着状態αで、マスク本体Ｍ１の左右の両側縁部をそれぞれ係着用フック部１７に引っ掛けるようにする。
【００３０】
その上で、中央凹部１５が使用者の口部に対向配置するようにマスクＭの耳掛け部Ｍ２を耳に引っ掛けてマスクＭを着用する。そうすると、図３等に示すように、マスクＭにマスク用サポート部材１が係着し、使用者の口部周辺をマスク用サポート部材１が被覆することとなる。
【００３１】
ここで、マスク用サポート部材１の中央凹部１５と使用者の口部周辺は、互いに離間することとなり、中央凹部１５と使用者の口部周辺との間に口部周辺接触防止空隙Ｓ１が形成される。したがって、マスクＭを着用した際にも、使用者の口紅等の化粧や唾液等がマスクＭに付着することが防止されている。
【００３２】
さらに、サポート部材本体１０は、係着用フック部１７によってマスクＭのマスク本体Ｍ１に引っ掛けられて係着されるため、マスク用サポート部材１が意図せずずり落ちてしまうことが防止されている。
【００３３】
なお、図１に示すような一般的なマスクＭは、紐等の線状体からなる耳掛け部Ｍ２の末端が、マスク本体Ｍ１における左右両側部の上端および下端にそれぞれ接続されている。したがって、耳掛け部Ｍ２を耳に引っ掛けてマスクＭを着用したときには、マスク本体Ｍ１の左右両側部のうち略中央部分には比較的撓んだ部分が存在する。そしてまさにこの撓んだ部分に、マスク用サポート部材１の係着用フック部１７が係着するため、使用時にマスク用サポート部材１が使用者の肌に過度に押し付けられることが抑制されると共に、マスク用サポート部材１が使用者の肌に直接触れる部分を低減することができる。このため、マスク用サポート部材１の使用感が飛躍的に優れたものとなる。
【００３４】
〔実施例２〕
以下に、実施例２にかかるマスク用サポート部材２を説明する。なお、実施例１に記載した事項で共通する点については、説明を簡略又は省略する。
【００３５】
マスク用サポート部材２は、図４〜図６等に示すように、プラスチック製フレーム体からなるフレーム部２１を有したサポート部材本体２０を備えている。
【００３６】
また、サポート部材本体２０の背面側であって、サポート部材本体２０の略中央には、一方（前方）に向かって凹んだ形状の中央凹部２５が形成されている。
【００３７】
さらに、サポート部材本体２０の四隅となる左側の上端部、左側の下端部、右側の上端部、及び右側の下端部には、前方へ向かって突き出された係着用凸部２７がそれぞれ設けられている。
【００３８】
また、マスク用サポート部材２は、サポート部材本体２０に加えて、図５（ｃ）に示すような、プラスチック製で板片状の係着片３０を備えている。ここで、係着片３０の中央部には、前記係着用凸部２７が嵌入可能な係着用貫通孔３１が設けられている。なお、ひとつの係着片３０と、ひとつの係着用凸部２７とが一組で使用されることとなる。
【００３９】
上述の係着用凸部２７、および係着片３０により、本発明にかかる係着手段が構成される。
【００４０】
次に、マスク用サポート部材２の使用形態について説明する。
【００４１】
マスク用サポート部材２を用いる際には、図４、図６に示すように、係着片３０を取り外した状態のマスク用サポート部材２を、マスクＭの内側（使用者側）に配置し、使用時に中央凹部２５が口部周辺に対向配置されるようにする。
【００４２】
次に、マスクＭの表側から係着片３０の係着用貫通孔３１に係着用凸部２７を差し込んで互いを係着させる。このようにすることで、図７に示すように、係着片３０と係着用凸部２７との間でマスクＭ１が挟持される状態となる。
【００４３】
それから、マスクＭの耳掛け部Ｍ２を耳に引っ掛けてマスクＭを着用する。そうすると、図６に示すように、口部周辺接触防止空隙Ｓ２が形成された状態で、使用者の口部周辺をマスク用サポート部材２が被覆することとなる。
【００４４】
かかる構成にあっては、サポート部材本体２０が、係着用凸部２７と係着片３０とによってマスクＭのマスク本体Ｍ１に引っ掛けられて係着するため、マスク用サポート部材２を適正位置に固定することができる。ここで、マスク用サポート部材２の寸法を、マスク本体Ｍ１の寸法に対して十分に小さくし、マスク用サポート部材２をマスク本体Ｍ１の中央部分に固定することにより、使用時にマスク用サポート部材２が使用者の肌に直接触れる部分を可及的に低減することが可能となる。
【００４５】
〔実施例３〕
以下に、マスクセット５０について説明する。なお、実施例１、２に記載した事項で共通する点については、説明を簡略又は省略する。
【００４６】
実施例３におけるマスクセット５０は、マスクＭを備えており、当該マスクＭのマスク本体Ｍ１は、いわゆるプリーツ型の形状を有している。具体的にマスク本体Ｍ１は、上下に折り重ねられて左右方向に長い複数の折り返し部Ｍ３を有している。
【００４７】
また、マスクセット５０は、マスク用サポート部材３を備えている。マスク用サポート部材３は、図８〜図１０等に示すように、プラスチック製フレーム体からなるフレーム部６１を備えたサポート部材本体６０によって構成されている。
【００４８】
また、サポート部材本体６０の背面側であって、サポート部材本体６０の略中央には、一方（前方）に向かって凹んだ形状の中央凹部６５が形成されている。
【００４９】
また、フレーム部６１の左右の側端部からは、長尺状の線状体で構成された差し込み部６７が上下一対で左右方向に長く突き出されている。なお、本実施例における差し込み部６７は、線状体が波形に折り返された形状を有しており、差し込み部６７が弾性変形可能ないわゆるバネ性を有した構造となっている。また、差し込み部６７における上下幅は、マスク本体Ｍ１のプリーツ部である折り返し部Ｍ３における折り返し幅よりも短い寸法となるように定められている。
【００５０】
なお、上述の差し込み部６７により、本発明に係る係着手段が構成されている。
【００５１】
次に、マスク用サポート部材３の使用形態について説明する。
【００５２】
マスク用サポート部材３を用いる際には、図８、図１０に示すように、マスク用サポート部材３の中央凹部６５がマスクＭの使用者側の面に配置された装着状態αで、差し込み部６７をマスクＭの折り返し部Ｍ３の内部に差し入れる。
【００５３】
このようにすることで、図１１に示すように、マスク本体Ｍ１の折り返し部Ｍ３に差し込み部６７が保持されて、マスク用サポート部材３がマスクＭに係着されることとなる。
【００５４】
その上で、中央凹部６５が使用者の口部に対向配置するようにマスクＭの耳掛け部Ｍ２を耳に引っ掛けてマスクＭを着用する。そうすると、図１０等に示すように、使用者の口部周辺をマスク用サポート部材３が被覆することとなって、口部周辺接触防止空隙Ｓ３が形成されることとなる。
【００５５】
ところで、差し込み部６７は弾性変形が容易な構造となっているため、マスクＭの折り返し部Ｍ３の位置に合わせて差し込み部６７を撓ませながら当該折り返し部Ｍ３内に差し込むことが可能である。また、差し込み部６７が折り返し部Ｍ３の内部に配置されることによって、マスク用サポート部材３が使用者の肌に直接触れる部分を低減することが可能となる。
【００５６】
上記実施例にあって、各部の寸法形状は適宜自由に選択可能である。
【００５７】
また、係着手段である係着用フック部１７、係着用凸部２７、係着片３０、及び差し込み部６７の配設数は、上記実施例に限定されることはない。例えば係着用フック部１７は左右それぞれ１個ずつ設けられている構成であってもよいし、３個ずつ設けられている構成であってもよい。
【００５８】
また、サポート部材本体１０，２０，６０には、別途、冷感材やクッション材等を適宜取り付けてもよい。
【符号の説明】
【００５９】
１，２，３            マスク用サポート部材
１０，２０，６０      サポート部材本体
１１                  サブフレーム部
１２                  メインフレーム部
１５，２５，６５      中央凹部
１７                  係着用フック部（係着手段）
２１，６１            フレーム部
２７                  係着用凸部（係着手段）
３０                  係着片（係着手段）
３１                  係着用貫通孔
５０                  マスクセット
６７                  差し込み部（係着手段）
Ｍ                    マスク
Ｍ１                  マスク本体
Ｍ２                  耳掛け部
Ｍ３                  折り返し部
Ｓ１，Ｓ２，Ｓ３      口部周辺接触防止空隙
α                    装着状態
【図１】
0006918329.tif 000002
【図２】
0006918329.tif 000003
【図３】
0006918329.tif 000004
【図４】
0006918329.tif 000005
【図５】
0006918329.tif 000006
【図６】
0006918329.tif 000007
【図７】
0006918329.tif 000008
【図８】
0006918329.tif 000009
【図９】
0006918329.tif 000010
【図１０】
0006918329.tif 000011
【図１１】
0006918329.tif 000012